(57)【要約】【課題】  専用ロール紙等を用意することなく、また、不必要な動作時間を省きつつ、ユーザに対して正確な実残量情報を提供し、使用途中の用紙なしの発生を防ぎ、ユーザビリティーを向上させる。【解決手段】  ロール紙残量の概量を検知するロール紙残量概量検知と前記ロール紙残量概量検知によって検知される検知精度よりも詳細量を検知するロール紙残量詳細量検知とから構成され、前記ロール紙残量概量検知によって特定量をきったと検知された場合にのみ、ロール紙残量詳細量検知を機能させる。【選択図】  図１
2007137634.tif 000002
【特許請求の範囲】
【請求項１】
ロール紙残量を検知する少なくとも２つ以上のロール紙残量検知手段を有し、前記ロール紙残量検知手段のひとつはロール紙残量の概量を検知することを可能とするロール紙残量概量検知手段、ひとつは前記ロール紙残量概量検知手段によって検知される検知精度よりも詳細量を検知することを可能とするロール紙残量詳細量検知手段であり、前記ロール紙残量概量検知手段によって特定量をきったと検知された場合にのみ、前記ロール紙残量詳細量検知手段を機能させることを特徴とするロール紙残量検知装置。
【請求項２】
前記請求項１記載のロール紙残量詳細量検知手段は、ロール紙を引き出して、使用しようとしているロール紙量の有無をあらかじめ確認するロール紙残量詳細量検知手段であることを特徴とする請求項１記載のロール紙残量検知装置。
【請求項３】
前記請求項１記載の特定量は、あらかじめ定められ保持された特定量であることを特徴とする請求項１乃至２記載のロール紙残量検知装置。
【請求項４】
前記請求項１記載の特定量は、可変とし、設定を可能とする特定量であることを特徴とする請求項１乃至２記載のロール紙残量検知装置。
【請求項５】
前記請求項１記載の特定量は、可変とし、使用しようとしているロール紙量もしくは過去のロール紙使用単位の使用ロール紙量に基づいて算定された特定量であることを特徴とする請求項１乃至２記載のロール紙残量検知装置。
【請求項６】
前記請求項１記載の特定量は、同じく請求項１記載のロール紙残量概量検知手段の検知誤差に基づいて算定された特定量であることを特徴とする請求項１、２、３、４乃至５記載のロール紙残量検知装置。
【請求項７】
ロール紙残量を検知する少なくとも２つ以上のロール紙残量検知処理を有し、前記ロール紙残量検知処理のひとつはロール紙残量の概量を検知することを可能とするロール紙残量概量検知処理、ひとつは前記ロール紙残量概量検知処理によって検知される検知精度よりも詳細量を検知することを可能とするロール紙残量詳細量検知処理であり、前記ロール紙残量概量検知処理によって特定量をきったと検知された場合にのみ、前記ロール紙残量詳細量検知処理を機能させることを特徴とするロール紙残量検知装置。
【請求項８】
前記請求項７記載のロール紙残量詳細量検知処理は、ロール紙を引き出して、使用しようとしているロール紙量の有無をあらかじめ確認するロール紙残量詳細量検知処理であることを特徴とする請求項７記載のロール紙残量検知装置。
【請求項９】
前記請求項７記載の特定量は、あらかじめ定められ保持された特定量であることを特徴とする請求項７乃至８記載のロール紙残量検知装置。
【請求項１０】
前記請求項７記載の特定量は、可変とし、設定を可能とする特定量であることを特徴とする請求項７乃至８記載のロール紙残量検知装置。
【請求項１１】
前記請求項７記載の特定量は、可変とし、使用しようとしているロール紙量もしくは過去のロール紙使用単位の使用ロール紙量に基づいて算定された特定量であることを特徴とする請求項７乃至８記載のロール紙残量検知装置。
【請求項１２】
前記請求項７記載の特定量は、同じく請求項７記載のロール紙残量概量検知処理の検知誤差に基づいて算定された特定量であることを特徴とする請求項７、８、９、１０乃至１１記載のロール紙残量検知装置。
【発明の詳細な説明】
【技術分野】
【０００１】
本発明は、ロール紙残量を検知するロール紙残量検知装置に関するものである。
【背景技術】
【０００２】
従来例として、特開平４−７２５３には、ロール紙にマークを付して該マークを検知することにより残量を検知すること、特開平６−１１５７８７には、ロール紙の自重を利用し、重量を検知して残量を検知することが記載されており、他にも、ロール紙供給回転軸の回転数、あるいは、ロール径等の増減によってロール紙の残量を検知するものがあるが、いずれの場合も単独の検知手段もしくは処理によって概量あるいは詳細量を検知するものであって、複数の検知手段もしくは処理を有し概量検知結果に基づいて詳細量検知手段もしくは処理の機能の有無を決定付けるよう構成された例はない。
【特許文献１】特開平４−７２５３号公報
【特許文献２】特開平６−１１５７８７号公報
【発明の開示】
【発明が解決しようとする課題】
【０００３】
ロール紙の詳細残量の検知をなすためには、公知例として、ロール紙のマークを検知するものであれば、あらかじめロール紙にマークを付しておく必要があり、専用ロール紙が必要となる。また、実際にロール紙を引き出して使用しようとしているロール紙量の実残量をあらかじめ確認するようなものであれば、まさに正確な実残量情報を得ることができるが、動作時間を要する。一方、専用ロール紙の用意、動作時間の短縮を図ろうとすると、ロール重量、ロール紙供給回転軸回転数、ロール径等基づく検知では、正確な実残量情報を得ることができず、概残量情報を得るの精一杯であり、ユーザにとって不正確な情報しか提供できないので、甚だユーザビリティーに欠ける。
【０００４】
本発明は、専用ロール紙を用意することなく、また、不必要な動作時間を省きつつ、ユーザに対して正確な実残量情報を提供することを可能とし、使用途中の用紙なしの発生を防ぎ、ユーザビリティーを向上させたロール紙残量検知装置を提供することを目的とする。
【課題を解決するための手段】
【０００５】
本発明に係る請求項１記載のロール紙残量検知装置は、ロール紙残量を検知する少なくとも２つ以上のロール紙残量検知手段を有し、前記ロール紙残量検知手段のひとつはロール紙残量の概量を検知することを可能とするロール紙残量概量検知手段、ひとつは前記ロール紙残量概量検知手段によって検知される検知精度よりも詳細量を検知することを可能とするロール紙残量詳細量検知手段であり、前記ロール紙残量概量検知手段によって特定量をきったと検知された場合にのみ、前記ロール紙残量詳細量検知手段を機能させることを特徴とするものである。
【０００６】
また、本発明に係る請求項２記載のロール紙残量検知装置は、請求項１記載のロール紙残量詳細量検知手段が、ロール紙を引き出して、使用しようとしているロール紙量の有無をあらかじめ確認するロール紙残量詳細量検知手段であることを特徴とするものである。
【０００７】
また、本発明に係る請求項３記載のロール紙残量検知装置は、請求項１記載の特定量が、あらかじめ定められ保持された特定量であることを特徴とするものである。
【０００８】
また、本発明に係る請求項４記載のロール紙残量検知装置は、請求項１記載の特定量が、可変とし、設定を可能とする特定量であることを特徴とするものである。
【０００９】
また、本発明に係る請求項５記載のロール紙残量検知装置は、請求項１記載の特定量が、可変とし、使用しようとしているロール紙量もしくは過去のロール紙使用単位の使用ロール紙量に基づいて算定された特定量であることを特徴とするものである。
【００１０】
また、本発明に係る請求項５記載のロール紙残量検知装置は、請求項１記載の特定量が、同じく請求項１記載のロール紙残量概量検知の検知誤差に基づいて算定された特定量であることを特徴とするものである。
【発明の効果】
【００１１】
本発明によれば、専用ロール紙を用意することなく、また、不必要な動作時間を省きつつ、ユーザに対して正確な実残量情報を提供し、使用途中の用紙なしの発生を防ぎ、ユーザビリティーを向上させる効果がある。
【発明を実施するための最良の形態】
【００１２】
以下、図面を参照して本発明の一実施の形態を詳細に説明する。
【００１３】
図１は、本発明の一実施の形態を示すロール紙残量検知装置の構成を説明するブロック図である。
【００１４】
図において、２は、ネットワーク３を介して接続されたプリンタ（Ｐｒｉｎｔｅｒ）１に対して同じくネットワーク３を介して印刷を行うホストＰＣ（ＰＣ）である。該プリンタ（Ｐｒｉｎｔｅｒ）１は、ホストＰＣ（ＰＣ）２から印刷がなされると、使用するロール紙の用紙残量があるかを検知するロール紙残量検知を行う。該ロール紙残量検知は、ロール紙概残量検知及びロール紙詳細残量検知からなる。ロール紙概残量検知では、概残量検知をなして、特定量情報に基づき、ロール紙残量があるかないかを検知し、あると検知した場合は、印刷を可とする。一方、なしと検知した場合は、続いて、ロール紙詳細残量検知を行う。ロール紙詳細残量検知では、詳細残量検知をなして、使用量情報に基づき、ロール紙残量があるかないかを検知し、あると検知した場合は、印刷を可とする。一方、なしと検知した場合は、印刷付加とする。
【００１５】
図２は、図１に示したロール紙残量検知装置のシステム構成の一例を示すブロック図である。
【００１６】
図において、プリンタ（Ｐｒｉｎｔｅｒ）１に関し、１０３は、プリンタリードオンリーメモリ（ＰＲＯＭ）で、プリンタ（Ｐｒｉｎｔｅｒ）１のシステム全体の制御をつかさどるプリンタ制御用中央処理装置（ＰＣＰＵ）１０１の制御手順等を保持する。ここには、処理手順等が保持される。１０４は、プリンタメモリ（ＰＭＥＭＯＲＹ（ＲＡＭ／ＨＤ））で、本システムの処理に必要な情報を保持する。ここには、プリンタ（Ｐｒｉｎｔｅｒ）１の処理情報、作業領域等が保持される。１０５は、プリンタ（Ｐｒｉｎｔｅｒ）１に対して指示及び表示を行うコントロールパネル（ＣＯＮＴＲＯＬＰＡＮＥＬ）である。１０６は、情報等の表示をなすプリンタディスプレイ（ＰＤＩＳＰＬＡＹ）である。１０７は、プリンタ（Ｐｒｉｎｔｅｒ）１と印刷を施すホストＰＣ（ＰＣ）２とをネットワーク回線３を介して接続するネットワークポート接続のインターフェースをなすプリンタネットワークインターフェースコントローラ（ＰＮＥＴＷＯＲＫ  ＩＮＴＥＲＦＡＣＥ  ＣＯＮＴＲＯＬＬＥＲ）である。１０８は、プリンタユニット（ＰＲＴＵＮＩＴ）で、検知をなすハードウェア構成はここにある。プリンタ（Ｐｒｉｎｔｅｒ）１の各情報は、プリンタシステムバス（ＰＳＹＳＢＵＳ）１０２を介して行き来する。
【００１７】
図３は、本一実施の形態において使用される、プリンタ（Ｐｒｉｎｔｅｒ）１のＭＥＭＯＲＹ（ＲＡＭ／ＨＤ）１０４内の領域配置を説明する模式図である。
【００１８】
図において、１０４１は、検知誤差算定情報（ＤＥＩＮＦ）で、ロール紙概残量検知における検知誤差の誤差量情報を保持する領域である。１０４２は、使用量情報（ＵＡＩＮＦ）で、印刷に要するロール紙使用量情報を保持する領域である。１０４３は、換算特定量情報（ＣＴＡＩＮＦ）で、検知誤差算定情報（ＤＥＩＮＦ）１０４１と使用量情報（ＵＡＩＮＦ）１０４２とを基に、ロール紙概残量検知の情報として使用するために、該ロール紙概残量検知にて得られる概残量情報（ＡＲＡＩＮＦ）１０４４と同じ単位に変換（換算）した値情報を保持する領域である。１０４５は、換算使用量情報（ＣＵＡＩＮＦ）で、使用量（ＵＡＩＮＦ）１０４２を基に、ロール紙詳細残量検知の情報として使用するために、該ロール紙詳細残量検知にて得られる詳細残量情報（ＤＲＡＩＮＦ）１０４６と同じ単位に変換（換算）した値情報を保持する領域である。１０４７は、印刷可否情報（ＰＣＩＮＦ）で、上記ロール紙概残量検知、ロール紙詳細残量検知に基づいて得られた印刷可否の情報を保持する領域である。 
次に、図４を参照しながら本発明に係るロール紙残量検知装置における処理について詳細に説明する。
【００１９】
図４は、ロール紙残量検知装置を有するプリンタ本体のプリンタ本体処理の一例を示すフローチャート図である。なお、Ｓ１〜Ｓ５は、ステップを示す。
【００２０】
先ず、ＭＥＭＯＲＹ（ＲＡＭ／ＨＤ）１０４内の領域初期化等の処理等のプリンタ本体初期処理Ｓ１を行い、印刷処理の初期処理をなす印刷処理初期処理Ｓ２を行い、まず、ロール紙残量検知処理Ｓ３を行い、その後、前記ロール紙残量検知処理によって設定される印刷可否情報（ＰＣＩＮＦ）１０４７に基づいて、印刷処理Ｓ４を行う。印刷可否情報（ＰＣＩＮＦ）１０４７が０ｘ００であれば印刷を行い、０ｘｆｆであれば印刷は行わず、ロール紙残量不足により印刷が出来ない旨のメッセージを表示するなどの構成となっている。
【００２１】
図５は、図４に示したロール紙残量検知処理Ｓ３の一例を示すフローチャート図である。なお、Ｓ３〜Ｓ１３は、ステップを示す。
【００２２】
先ず、検知誤差算定情報（ＤＥＩＮＦ）１０４１と使用量情報（ＵＡＩＮＦ）１０４２とを、ロール紙概残量検知の情報として使用するために、両者を該ロール紙概残量検知にて得られる該残量情報（ＡＲＡＩＮＦ）１０４４と同じ単位に変換（換算）し、該変換（換算）後の両者情報の和をとり換算特定量情報（ＣＴＡＩＮＦ）１０４３に格納するＳ６。次に、ロール紙概残量検知処理をなし、現在の概残量を概残量情報（ＡＲＡＩＮＦ）１０４４に得てＳ７、概残量情報（ＡＲＡＩＮＦ）１０４４と換算特定量情報（ＣＴＡＩＮＦ）１０４３とを比較しＳ８、概残量情報（ＡＲＡＩＮＦ）１０４４のほうが大きいのであれば、誤差を含めても残量は十分あるとして、Ｓ１３で印刷可否情報（ＰＣＩＮＦ）１０４７に印刷可すなわち０ｘ００をセットする。一方、Ｓ８で概残量情報（ＡＲＡＩＮＦ）１０４４のほうが大きいとならない場合、もしかしたら印刷中に用紙がなくなる可能性があるので、詳細残量もしくは実残量を検知すべく、使用量情報（ＵＡＩＮＦ）１０４２を、ロール紙詳細残量検知の情報として使用するために、該ロール紙詳細残量検知にて得られる詳細残量情報（ＤＲＡＩＮＦ）１０４６と同じ単位に変換（換算）し、該変換（換算）後の情報を換算使用量情報（ＣＵＡＩＮＦ）１０４５に格納するＳ９。次に、ロール紙詳細残量検知処理をなし、現在の詳細残量を詳細残量情報（ＤＲＡＩＮＦ）１０４６に得てＳ１０、詳細残量情報（ＤＲＡＩＮＦ）１０４６と換算使用量情報（ＣＵＡＩＮＦ）１０４５とを比較しＳ１１、詳細残量情報（ＤＲＡＩＮＦ）１０４６のほうが大きいのであれば、（実）残量はあるので、Ｓ１３で印刷可否情報（ＰＣＩＮＦ）１０４７に印刷可すなわち０ｘ００をセットする。一方、Ｓ１１で詳細残量情報（ＤＲＡＩＮＦ）１０４６のほうが大きいとならない場合、（実）残量はないので、Ｓ１２で印刷可否情報（ＰＣＩＮＦ）１０４７に印刷不可すなわち０ｘｆｆをセットし、Ｓ１３と共に処理を終了する。
【００２３】
なお、上記一実施の形態においては、ロール紙を用いて印刷を行う印刷システムを例としてロール紙検知装置を説明したが、その限りではない。
【００２４】
また、上記一実施の形態においては、ロール紙検知処理において、情報換算を行い検知後に情報比較の判定をなして残量の有無をはんだんする構成として説明したが、その限りではなく、ロール紙概残量検知処理によって特定量をきったと検知された場合にのみ、ロール紙詳細残量検知処理が機能するように構成されていればよい。
【００２５】
また、上記一実施の形態においては、ロール紙概残量検知処理に情報として用いる特定量情報は、印刷に要するロール紙使用量及び該ロール紙概残量検知における誤差情報を基に算定された特定量情報を用いたが、その限りではなく、あらかじめ定められ保持された特定量情報であっても、パネル等によって設定を可能とする可変の特定量情報であっても、また、過去のロール紙使用単位の使用ロール紙量に基づいて算定された特定量情報であってもよい。
【図面の簡単な説明】
【００２６】
【図１】図１は、本発明の一実施の形態を示すロール紙残量検知装置の構成を説明するブロック図である。
【図２】図２は、図１に示したロール紙残量検知装置のシステム構成の一例を示すブロック図である。
【図３】図３は、本一実施の形態において使用される、プリンタ（Ｐｒｉｎｔｅｒ）１のＭＥＭＯＲＹ（ＲＡＭ／ＨＤ）１０４内の領域配置を説明する模式図である。
【図４】図４は、ロール紙残量検知装置を有するプリンタ本体のプリンタ本体処理の一例を示すフローチャート図である。
【図５】図５は、図４に示したロール紙残量検知処理Ｓ３の一例を示すフローチャート図である。
【符号の説明】
【００２７】
１  プリンタ（Ｐｒｉｎｔｅｒ）
１０１  プリンタ制御用中央処理装置（ＰＣＰＵ）
１０２  プリンタシステムバス（ＰＳＹＳＢＵＳ）
１０３  プリンタリードオンリーメモリ（ＰＲＯＭ）
１０４  プリンタメモリ（ＰＭＥＭＯＲＹ（ＲＡＭ／ＨＤ））
１０５  キーボード（ＫＥＹＢＯＡＲＤ）
１０６  プリンタディスプレイ（ＰＤＩＳＰＬＡＹ）
１０７  プリンタネットワークインターフェースコントローラ
（ＰＮＥＴＷＯＲＫ  ＩＮＴＥＲＦＡＣＥ  ＣＯＮＴＲＯＬＬＥＲ）
１０８  プリンタユニット（ＰＲＴＵＮＩＴ）
２  ホストＰＣ（ＰＣ）
３  ネットワーク
【図１】
2007137634.tif 000003
【図２】
2007137634.tif 000004
【図３】
2007137634.tif 000005
【図４】
2007137634.tif 000006
【図５】
2007137634.tif 000007